(57)【要約】【課題】  遊技で獲得したメダルを遊技機のメダル投入口へ遊技者の手で投入することなくシュートで移送して自動的に投入できるようにする。【解決手段】  補給路４で補給されたメダルｍを払い出し時まで一時貯留するホッパー２２を備え、同ホッパー２２から投入金額に応じて払い出した貸出メダルを隣接する遊技機のメダル投入口に移送して投入するシュート２４を備え、遊技で獲得した獲得メダルｍａを投入する獲得メダル投入口２５を設け、獲得メダル投入口２５に投入された獲得メダルｍａの投入枚数を計数するメダル計数機２６ａを設け、計数された獲得メダルｍａを回収ライン５に排出する排出路２８を設け、計数された獲得メダルｍａの枚数と同数のメダルｍをホッパー２２から払い出すように制御するコントローラ２９を設けた。【選択図】図３
2007260074.tif 000002
【特許請求の範囲】
【請求項１】
外部から補給されたメダルを払い出し時まで一時貯留するホッパーを備え、同ホッパーから投入金額に応じて払い出した貸出メダルを隣接する遊技機のメダル投入口にシュートで移送して投入する遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをホッパーに送る送出路を設け、計数された獲得メダルの枚数と同数のメダルをホッパーから払い出すように制御する制御手段を設け、獲得メダルの枚数分のメダルをメダル供給機から遊技機のメダル投入口へ自動的に投入できるようにしたことを特徴とする、遊技設備のメダル供給機。
【請求項２】
外部から補給されたメダルを払い出し時まで一時貯留するホッパーを備え、同ホッパーから投入金額に応じて払い出した貸出メダルを隣接する遊技機のメダル投入口にシュートで移送して投入する遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをメダル供給機外の回収ラインに排出する排出路を設け、計数された獲得メダルの枚数と同数のメダルをホッパーから払い出すように制御する制御手段を設け、獲得メダルの枚数分のメダルをメダル供給機から遊技機のメダル投入口へ自動的に投入できるようにしたことを特徴とする、遊技設備のメダル供給機。
【請求項３】
遊技で使用可能なメダルの枚数を表示するメダル枚数表示器を遊技機又はメダル供給機に設けた、請求項１又は２記載の遊技設備のメダル供給機。
【請求項４】
遊技終了後に遊技者のメダル持数をレシートに出力するレシート出力装置を設けた、請求項１〜３いずれか記載の遊技設備のメダル供給機。
【発明の詳細な説明】
【技術分野】
【０００１】
本発明は、メダル貸し機にメダルを移送するシュートを取り付け、投入金額に応じて払い出したメダルを隣接する遊技機のメダル投入口にシュートで移送して自動的に投入できるようにする遊技設備のメダル供給機に関する。
【背景技術】
【０００２】
従来、メダルを投入して遊技する遊技機では、遊技者がメダル貸し機で借りたメダルを遊技機の受皿に一旦移し、これをメダル投入口に１枚ずつ投入して遊技している。近年ではメダルを受皿に移したりメダル投入口に投入する手間を省略するために、メダル貸し機の供給口にメダルを移送するシュートを取り付け、シュートの先端部を遊技機のメダル投入口に係合してメダルの投入を遊技者に代わって自動的に行えるようにした遊技設備のメダル供給機が提案されている（例えば特許文献１参照）。
【０００３】
ところで、前記技術では遊技の結果により獲得したメダルが遊技機の受皿に貯まっていくから、この獲得したメダルを使用する際はシュートをメダル投入口から一旦取り外した後に遊技者の手で１枚ずつ投入する必要があり、依然として煩わしい作業が残っていた。また、獲得したメダルを投入して遊技を継続した後に受皿に払い出されたメダルは先に投入したメダルを含むものであるから、投入と獲得が繰り返されるとメダルが遊技機で循環して遊技者は何度も同じメダルに触れることになり、遊技者の手を汚す問題もあった。
【特許文献１】特開２００１−４６７２３号公報
【発明の開示】
【発明が解決しようとする課題】
【０００４】
本発明が解決しようとする課題は、従来のこれらの問題点を解消し、遊技で獲得したメダルを遊技機のメダル投入口へ遊技者の手で投入することなくシュートで移送して自動的に投入できるようにすることにある。第２の課題は、常に洗浄研磨済みのメダルを使用するようにして遊技者の手を汚すことなく清潔に遊技できるようにすることにある。
【課題を解決するための手段】
【０００５】
かかる課題を解決した本発明の構成は、
１）外部から補給されたメダルを払い出し時まで一時貯留するホッパーを備え、同ホッパーから投入金額に応じて払い出した貸出メダルを隣接する遊技機のメダル投入口にシュートで移送して投入する遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをホッパーに送る送出路を設け、計数された獲得メダルの枚数と同数のメダルをホッパーから払い出すように制御する制御手段を設け、獲得メダルの枚数分のメダルをメダル供給機から遊技機のメダル投入口へ自動的に投入できるようにしたことを特徴とする、遊技設備のメダル供給機
２）外部から補給されたメダルを払い出し時まで一時貯留するホッパーを備え、同ホッパーから投入金額に応じて払い出した貸出メダルを隣接する遊技機のメダル投入口にシュートで移送して投入する遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをメダル供給機外の回収ラインに排出する排出路を設け、計数された獲得メダルの枚数と同数のメダルをホッパーから払い出すように制御する制御手段を設け、獲得メダルの枚数分のメダルをメダル供給機から遊技機のメダル投入口へ自動的に投入できるようにしたことを特徴とする、遊技設備のメダル供給機
３）遊技で使用可能なメダルの枚数を表示するメダル枚数表示器を遊技機又はメダル供給機に設けた、前記１）又は２）記載の遊技設備のメダル供給機
４）遊技終了後に遊技者のメダル持数をレシートに出力するレシート出力装置を設けた、前記１）〜３）いずれか記載の遊技設備のメダル供給機
にある。
【発明の効果】
【０００６】
本発明によれば、獲得メダルは遊技の合間をみて獲得メダル投入口にまとめて投入しておき、投入して計数された枚数分のメダルはホッパーからシュートにより遊技機のメダル投入口へ自動的に投入される。従って、貸出メダルの全投入後も遊技機のメダル投入口へのメダル投入は遊技者の手を要することなく全てシュートで自動的に投入され、遊技者はシュートの取り外しや獲得メダルの１枚ずつの投入など煩わしい作業から解放されて遊技に集中できるようになる。
【０００７】
特に請求項２記載の構成では、一度使用したメダルは排出路で回収ラインへ排出し、メダル供給機のホッパーには常に洗浄研磨したメダルを補給して排出分のメダルをホッパーから払い出して投入するようにしたから、遊技機の受皿には常に洗浄研磨済みのメダルが払い出されることになり、投入と獲得が繰り返されても遊技者の手に触れるメダルは常にきれいなメダルで、手を汚すことなく清潔に遊技できるようになる。
【発明を実施するための最良の形態】
【０００８】
本発明では、メダル供給機への金銭の投入は、貨幣や硬貨などの現金の他、ＩＣコインやカード等を用いてもよい。メダル枚数表示器は現在の持数の他にその持数のメダルを所定率のレートで換金した際の時価と総投入金額を表示して損益を把握できるようにしてもよい。以下、本発明の各実施例を図面に基づいて具体的に説明する。
【実施例１】
【０００９】
図１〜４に示す実施例１は、スロットマシンのメダル投入口にメダルを自動的に投入するメダル供給機の例である。図１は実施例１の遊技設備の説明図、図２は実施例１の遊技機とメダル供給機の斜視図、図３は実施例１のメダル供給機の内部の説明図、実施例１のメダル枚数表示器の説明図である。
【００１０】
実施例１の遊技設備１は、複数並設した遊技機１０とメダル供給機２０の上方にメダルｍを搬送する搬送ライン２を設け、搬送ライン２のメダルｍを取り込む取込み装置３を設け、取り込んだメダルｍを遊技機１０とメダル供給機２０の内部に補給する補給路４を設け、遊技機１０とメダル供給機２０から排出されたメダルｍを回収する回収ライン５を設け、回収ライン５のメダルｍを洗浄研磨する洗浄研磨装置６を設け、洗浄研磨されたメダルｍを搬送ライン２へ送り出す送出し装置７を設けている。８は管理コンピュータ、８ａは接続部である。
【００１１】
遊技機１０は、メダルｍを投入するメダル投入口１１を設け、遊技結果に応じて払い出されたメダルｍ（以下獲得メダルｍａという）を受ける受皿１２を設け、補給路４で補給されたメダルｍを払い出し時まで一時貯留するホッパー１３を設け、余剰のメダルｍを回収ライン５へ排出する排出路１４を設けている。１３ａはメダルセンサー、１５は遊技の進行・メダルｍの投入枚数の計数及び払い出しを制御するコントローラ、１６はメダルｍのクレジット枚数を表示するクレジット枚数表示器、１７はクレジット分のメダルｍをホッパー１３から受皿１２へ払い出すとともに自動クレジットを解除するクレジット解除ボタンである。この遊技機１０はメダルｍの最大クレジット枚数が５０枚に設定されている。なお、獲得メダルｍａは他の遊技機１０で獲得したメダルやメダル箱及び手持ちの分も含む。
【００１２】
メダル供給機２０は、貨幣を投入する貨幣投入口２１を設け、補給路４で補給されたメダルｍを払い出し時まで一時貯留するホッパー２２を設け、ホッパー２２からメダルｍを払い出す払出口２３を設け、払出口２３から払い出されたメダルｍを遊技機１０のメダル投入口１１へ移送する屈曲自在のシュート２４を設け、獲得メダルｍａを投入する獲得メダル投入口２５を設け、投入された獲得メダルｍａを計数するメダル計数機２６ａを備えた下部ホッパー２６を設け、獲得メダルｍａの計数枚数と遊技に使用できるメダルｍの現在枚数を表示するメダル枚数表示器２７を設け、計数された獲得メダルｍａを回収ライン５へ排出する排出路２８を設け、投入金額に応じた枚数のメダルｍの払出し制御と投入された獲得メダルｍａの計数制御と計数後にメダル枚数表示器２７の現在枚数から５０枚（残数が５０枚未満は全て）を自動的に払い出す自動クレジット制御とメダル枚数表示器２７の表示制御を行うコントローラ２９を設け、遊技終了後に遊技者のメダルｍの持数をレシートＰに出力するレシート出力装置３０を設けている。２１ａは投入金額表示器、２２ａはメダルセンサー、２４ａはメダル投入口１１と係合するアダプタ、３０ａはレシートの出力ボタン、３１はメダルｍの払い出しを遊技者が行う手動クレジットボタン、３２はメダルｍの払い出しを自動に切り替える自動クレジットボタン、Ｐはレシートである。このメダル供給機２０の貸し出し枚数は５０枚／１０００円に設定されている。
【００１３】
実施例１では、シュート２４を上下左右に屈曲させてアダプタ２４ａを遊技機１０のメダル投入口１１に係合し、遊技者がメダル供給機２０の貨幣投入口２１に１０００円を投入すると、ホッパー２２のメダルｍが払出口２３に５０枚払い出されるとともにメダル枚数表示器２７に５０枚が現在枚数として表示される。メダルｍはシュート２４を通じてメダル投入口１１へ移送されて自動的に投入され、クレジット枚数表示器１６に５０枚が表示されるとともにメダル枚数表示器２７の現在枚数がクレジット枚数分減少し、遊技が開始される。
【００１４】
遊技の結果により獲得メダルｍａが遊技機１０の受皿１２に多量に払い出されると、遊技者は遊技の合間をみて受皿１２の獲得メダルｍａをメダル供給機２０の獲得メダル投入口２５へまとめて投入する。投入された獲得メダルｍａは下部ホッパー２６に貯留した後にメダル計数機２６ａで計数して排出路２８により回収ライン５へ排出されて回収される。メダル枚数表示器２７の投入枚数は獲得メダルｍａの計数分増加して現在枚数に累計され、遊技者はそのメダル枚数表示器２７の現在枚数とクレジット枚数表示器１６の表示数値の合算値で持数を確認しながら遊技する。回収された獲得メダルｍａは洗浄研磨装置６で洗浄研磨され、搬送ライン２で再び搬送されて補給される。獲得メダルｍａの計数後は直にメダルｍをホッパー２２から５０枚（残数が５０枚未満は全て）払い出して自動クレジットされる。最大クレジット枚数を超えた場合は超過分が受皿１２へ払い出される。
【００１５】
クレジット枚数表示器１６の表示数値が０又は残り少なくなった場合は、遊技者が手動クレジットボタン３１を押してメダル枚数表示器２７の現在枚数分のメダルｍがホッパー２２から５０枚単位で（残数が５０枚未満は全て）払い出され、シュート２４でメダル投入口１１へ自動的に投入して遊技が継続される。最大クレジット枚数を超えた場合は超過分が受皿１２へ払い出される。最初に自動クレジットボタン３２が押されている場合は、遊技者はクレジット枚数表示器１６の表示数値を気にすることなく自動で投入される。クレジット枚数表示器１６の表示数値とメダル枚数表示器２７の現在枚数が０の場合は遊技を終了するか、あるいは貨幣を追加投入してメダルｍをホッパー２２からシュート２４で投入し、遊技が再開される。
【００１６】
遊技終了後はクレジット解除ボタン１７を押してクレジット分のメダルｍをホッパー１３から受皿１２へ払い出すとともに自動クレジットを解除し、受皿１２のメダルｍ（メダル箱や手持ちの分も含む）を獲得メダル投入口２５へ全て投入して計数し、出力ボタン３０ａを押してレシート出力装置３０でメダルｍの持数が印字されたレシートＰを出力し、カウンターに持ち込んで精算される。
【００１７】
このように、実施例１では獲得メダルｍａは遊技の合間をみて獲得メダル投入口２５にまとめて投入しておき、投入された分のメダルｍはホッパー２２からシュート２４により遊技機１０のメダル投入口１１へ投入される。従って、貸出メダルの全投入後も遊技機１０のメダル投入口１１へのメダルｍの投入は遊技者の手を借りずに全てシュート２４で自動的に投入され、遊技者はシュート２４の取り外しや獲得メダルｍａの１枚ずつの投入など煩わしい作業から解放されて遊技に集中できるようになった。
【００１８】
また、一度使用したメダルは排出路２８で回収ライン５へ排出し、メダル供給機２０のホッパー２２には常に洗浄研磨したメダルｍを補給して排出分のメダルをホッパー２２から払い出して投入するようにしたから、遊技機１０の受皿１２には常に洗浄研磨済みのメダルｍが払い出されることになり、遊技者の手が触れるメダルｍは常にきれいな状態であり、手を汚すことなく清潔に遊技できるようになった。
【実施例２】
【００１９】
図５に示す実施例２は、獲得メダル投入口に投入された獲得メダルを排出せずにホッパーへ送り出し、そのメダルを遊技機のメダル投入口に投入できるようにしたメダル供給機の例である。図５は実施例２のメダル供給機の内部の説明図である。図中、３３は送出路である。
【００２０】
実施例２のメダル供給機２０は、実施例１の排出路２８を省略し、獲得メダル投入口２５から投入された獲得メダルｍａを下部ホッパー２６のメダル計数機２６ａで計数した後、ホッパー２２へ送り出すリフター等の送出路３３を設け、メダルｍの投入の自動化のみを求めた構成としている。この例は、メダルｍの使用頻度が低い（メダルｍが汚れにくい）遊技設備１に有用であり、簡易な構造にして低コストで実施できる。その他、符号、構成、作用効果は実施例１と同じである。
【産業上の利用可能性】
【００２１】
本発明の遊技設備のメダル供給機はスロットマシン等に有用である。
【図面の簡単な説明】
【００２２】
【図１】実施例１の遊技設備の説明図である。
【図２】実施例１の遊技機とメダル供給機の斜視図である。
【図３】実施例１のメダル供給機の内部の説明図である。
【図４】実施例１のメダル枚数表示器の説明図である。
【図５】実施例２のメダル供給機の内部の説明図である。
【符号の説明】
【００２３】
１  遊技設備
２  搬送ライン
３  取込み装置
４  補給路
５  回収ライン
６  洗浄研磨装置
７  送出し装置
８  管理コンピュータ
８ａ  接続部
１０  遊技機
１１  メダル投入口
１２  受皿
１３  ホッパー
１３ａ  メダルセンサー
１４  排出路
１５  コントローラ
１６  クレジット枚数表示器
１７  クレジット解除ボタン
２０  メダル供給機
２１  貨幣投入口
２１ａ  投入金額表示器
２２  ホッパー
２２ａ  メダルセンサー
２３  払出口
２４  シュート
２４ａ  アダプタ
２５  獲得メダル投入口
２６  下部ホッパー
２６ａ  メダル計数機
２７  メダル枚数表示器
２８  排出路
２９  コントローラ
３０  レシート出力装置
３０ａ  出力ボタン
３１  手動クレジットボタン
３２  自動クレジットボタン
３３  送出路
ｍ  メダル
ｍａ  獲得メダル
Ｐ  レシート
【図１】
2007260074.tif 000003
【図２】
2007260074.tif 000004
【図３】
2007260074.tif 000005
【図４】
2007260074.tif 000006
【図５】
2007260074.tif 000007